(57)【特許請求の範囲】
【請求項１】
合成ステープル繊維、天然繊維、無端繊維、または前記繊維の混合物を材料にした不織布から成る、
水噴射処理によって接合及び／または立体構造付与された製品ウェブを製造するための装置において、
穿孔ドラム（１）の上に、目の粗い下側スクリーン（２）、およびこの目の粗い下側スクリーンを覆って、より細目の捲縮されたスクリーン（３）が配設されており、且つ、この捲縮されたスクリーン（３）が、無端のチューブとして捲縮されたスクリーンベルトから成っていることを特徴とする装置。
【請求項２】
立体構造付与する捲縮されたスクリーンは、約５本線／ｃｍ（経糸および緯糸）を有することを特徴とする請求項１に記載の装置。
【請求項３】
捲縮された経糸は、直角に、穿孔ドラムの周囲を回って、および、捲縮されていない緯糸が、このドラム軸線に対して軸平行に配設されていることを特徴とする請求項２に記載の装置。
【請求項４】
その装置の上で、既に接合された製品ウェブは、この装置の最後のベルトとしての立体構造付与する捲縮されたスクリーンに導かれるように構成されていることを特徴とする請求項１から３のいずれか一つに記載の装置。
【請求項５】
接合のために、捲縮されたスクリーン（３）が組み込まれ、この捲縮されたスクリーンは、０．１５〜０．２ｍｍの直径を備える線を有し、且つ、走行方向に対して長手方向および横方向に２５〜４５本線／ｃｍ（経糸および緯糸）を有することを特徴とする請求項１に記載の装置。
【請求項６】
上記スクリーンベルトは、ノズルビームの多数の射出開口部から高圧でもって噴射された液体を導出するための導出開口を備えていることを特徴とする請求項１から５のいずれか一つに記載の装置。
【請求項７】
上記スクリーンベルトは、経糸および緯糸を備えており、これら経糸および緯糸が、熱可塑性のホモポリマー、またはコポリマーから成っていることを特徴とする請求項１から６のいずれか一つに記載の装置。
【請求項８】
上記スクリーンベルトは、金属線材から成る緯糸を備えることを特徴とする請求項１から７のいずれか一つに記載の装置。
【請求項９】
目の粗い下側スクリーン（２）と捲縮されたスクリーン（３）との間に、更に別のスクリーン挿入され、従って、穿孔ドラム（１）の上で、総じて３つのスクリーンが重なり合って位置していることを特徴とする請求項１から８のいずれか一つに記載の装置。
【発明の詳細な説明】
【技術分野】
【０００１】
本発明は、合成ステープル繊維、天然繊維、無端繊維、または前記繊維の混合物を材料にした不織布から成る、
水噴射処理によって接合（ｖｅｒｆｅｓｔｉｇｔｅｎ）及び／または立体構造付与された製品ウェブを製造するための装置に関する。
【背景技術】
【０００２】
ドイツ連邦共和国特許出願公開第１０１  ５２  ０７５号明細書（特許文献１）から、既に、水噴射処理を用いての、製品ウェブの３次的な無色の模様を形成するための装置が公知である。高い圧力でもって付勢された水噴射、または高温の空気によって、パーフォレーションされた不織布材料を製造するための装置は、ヨーロッパ特許出願公開第５１１  ０２５号明細書（特許文献２）内において記載されている。同様に、ヨーロッパ特許第２２３  ６１４号明細書（特許文献３）、ヨーロッパ特許第２１５  ６８４号明細書（特許文献４）、および、ヨーロッパ特許第１  ００１  ９６４号明細書（特許文献５）において、装置が開示されており、これら装置は、前もって製造された不織布に、穿孔立体構造を形成する。その際、穿孔立体構造は、上方へと起立している可塑的な立ち上がり部を備えるベルトの上で、または上方へと起立している可塑的な立ち上がり部を備えるドラムの上で存在する不織布ウェブの、圧力で付勢された水噴射によって付与される。更に、ヨーロッパ特許第７０５  ９３２号明細書（特許文献６）から、浮き彫り状の立体構造および穿孔を、全体的に所定の配設内において有している材料が公知である。
【特許文献１】ドイツ連邦共和国特許出願公開第１０１  ５２  ０７５号明細書
【特許文献２】ヨーロッパ特許出願公開第５１１  ０２５号明細書
【特許文献３】ヨーロッパ特許第２２３  ６１４号明細書
【特許文献４】ヨーロッパ特許第２１５  ６８４号明細書
【特許文献５】ヨーロッパ特許第１  ００１  ９６４号明細書
【特許文献６】ヨーロッパ特許第７０５  ９３２号明細書
【発明の開示】
【発明が解決しようとする課題】
【０００３】
従って、本発明の課題は、製品ウェブの立体構造付与のため、およびこの製品ウェブの接合のために組み込まれ得る装置を発展させることである。この課題は、穿孔ドラムの上に無端のチューブとして捲縮された、異なる捲縮されたスクリーンによって解決され得る。この様式の異なる捲縮されたスクリーンでもって、本発明による装置の２つの全く異なる機能、即ち、一方では製品ウェブの立体構造付与、および他方ではこの製品ウェブの接合が満たされる。
【課題を解決するための手段】
【０００４】
本発明の対象は、従って、
合成ステープル繊維、天然繊維、無端繊維、または前記繊維の混合物を材料にした不織布から成る、
水噴射処理によって接合及び／または立体構造付与された製品ウェブを製造するための装置であり、
この装置の場合、
穿孔ドラム１の上に、目の粗い下側スクリーン２、およびこの目の粗い下側スクリーンを覆って、より細目の捲縮されたスクリーン３が配設されており、且つ、この捲縮されたスクリーン３が、無端のチューブとして捲縮されたスクリーンベルトから成っている。
【発明の効果】
【０００５】
この装置が、立体構造付与のために組み込まれる場合、約５本線（Ｄｒａｅｈｔｅ）／ｃｍ（経糸および緯糸）を有する目の粗い捲縮されたスクリーンが使用される。この場合、既に前もって接合された不織布が、織物状の立体構造を備えており、および、しかもこの立体構造が、製品進展方向に、且つこの製品走行方向に対して直角に指向するように備えている。このことは、目の粗い捲縮されたスクリーンによって達成され、この目の粗い捲縮されたスクリーンの捲縮された経糸が、直角にドラムの周りを回って指向し、且つ、この目の粗い捲縮されたスクリーンの捲縮されていな緯糸が、このドラムに対して軸平行に配設されている。重い不織布がエネルギー豊富な水噴射に対して障壁を成し、且つ従って「通り抜け（Ｄｕｒｃｈｓｃｈｉｅｓｓｅｎ）」を防止するので、このように実施された立体構造付与（立体成形）の場合、同様に、１００ｇ／ｍ２以上を有する重い製品でもっても作業され得る。何故ならば、交絡（Ｖｅｒｎａｄｅｌｕｎｇ）の際に使用される水噴射の跳ね返り効果が生じること無く、且つ必要でもないからである。製品ウェブの接合は、このように実施された立体成形の場合に達成されず、従って、この不織布が、前もって既に、この不織布の強度を備えていなければならない。
【０００６】
通常、立体成形のために組み込まれる捲縮されたスクリーンは、最後のベルトとして設備内において組み込まれる。何故ならば、この立体成形の後、如何なる更なる交絡段も、もはや使用されないからである。それぞれの更なる交絡は、形成された立体構造を、再び破壊する。この方法処理の場合、所定の残留湿度を有する製品を、後に続く乾燥プロセス内において、または他の後続のプロセス内において進展するために、湿った不織布を可能な限り最高に脱水する、最終吸引スリットも設けられている。
【０００７】
本発明による装置の更に別の使用の可能性は、穿孔ドラムの上に載置された捲縮されたスクリーンが、同様に、これまで軽量な不織布（１００ｇ／ｍ２より小さな面積重量）の接合のために組み込まれている、微小な多孔性のシェル体のための代替としても代用され得るということにある。
【０００８】
微小な多孔性のシェル体のこれまで通例の使用は欠点を伴っている。ＭＰＳ（微小な多孔性のシェル体）の使用の際に、穿孔ドラムは、狭小な許容差でもって製造されねばならない。何故ならば、作動状態において、増大されたたわみ作用（Ｗａｌｋａｒｂｅｉｔ）によって損傷を与えられないために、このＭＰＳは、僅かな遊隙でもってこのドラムの上に押込まれねばならないからである。このＭＰＳを、例えば捲縮されたスクリーンに置換することが達成された場合、比較的に大きな許容差を有する支持状態の穿孔ドラムが仕上げられる。何故ならば、捲縮されたスクリーンは、ドラムの比較的に大きな直径の相違を補償するからである。更に、捲縮されたスクリーンが、ＭＰＳに対して、明確により僅かな投資コストを必要とし、且つ、損傷された、または摩耗された捲縮されたスクリーンが、比較的に容易に交換され得、これに対して、新しいＭＰＳが、許容差域の理由で他の直径でもって供給され、且つ、まず間違いなく、従来使用されたＭＰＳと同じくらい良好には、このドラムの上に適合しないという事情が出てくる。
【０００９】
本発明により、しかしながら、０．１５から０．２ｍｍまでの直径を備える線を有し、且つ、走行方向に対して長手方向および横方向に２５から４５本線／ｃｍ（経糸および緯糸）までを有する、捲縮されたスクリーン３が組み込まれる場合、傑出した接合効果が達せられる。軽量な不織布の場合、２００ｋｍ／ｈ以上の速度でもってこの不織布に衝突する、エネルギー豊富な水噴射が、容易にこの不織布を貫通するという危険が存在する。従って、この水噴射の運動エネルギーは、作用効果無く、且つ失われる。このことは機械の効率を低下させ、且つ、１ｋｇの仕上がり製品当り消費されるべきエネルギーが著しく上昇する。
【００１０】
本発明により、ここで、しかしながら、水噴射の運動エネルギーは、個別の繊維の状態を変化させること、および、従って、前もって緩められた繊維集合体の強度を向上させることに利用される。このことは、本発明により、軽量な不織布の場合に、ドラム３の上で、極めて細かな捲縮されたスクリーンが装着され、且つ、この細かな立体構造によって、その表面で水噴射が同様に再び跳ね返る、均一の表面が得られることによって達成される。高い速度でもってこの不織布に当った水噴射は、この不織布を通過し、捲縮されたスクリーン３の上に当り、且つ、そこからこの不織布に向かって跳ね返えされる。その際に生じる跳ね返り効果は、この不織布が、ここで、同様に下側から交絡され、且つ、このことによって、著しく高い強度が達せられることを誘起する。
【００１１】
もちろん、このように接合された製品ウェブは、引き続いて、上記で細部においては記載されている立体構造付与段に進展可能である。
【００１２】
本発明による装置内に組み込まれるスクリーンベルトは、ノズルビームの多数の射出開口部から高圧でもって噴射された液体を導出するための導出開口を備えている。これら捲縮されたスクリーンベルトは、経糸および緯糸を備えており、これら経糸および緯糸が、熱可塑性のホモポリマー、またはコポリマーから成っていることは可能である。この捲縮されたスクリーンベルトが、金属線材から成る緯糸を備える場合、特に有利である。
【００１３】
更に、特別の場合に、１つの装置を有することは特に有利であり、この装置の場合、目の粗い下側スクリーン２と捲縮されたスクリーン３との間に、更に別のスクリーン挿入され、従って、穿孔ドラム１の上で、総じて３つのスクリーンが重なり合って位置している。このことは、特に、下側スクリーンまたは捲縮されたスクリーンのメッシュナンバー、及び／または線材太さにおいて、大きな相違のある場合に得策である。
【００１４】
本発明による装置でもって、例えば、７０：３０のビスコース／ポリエステルから成る組成において、および、７０ｍ／ｍｉｍの製造速度において、以下の緒元を有している、５７ｇ／ｍ２の不織布が製造され得る。
【００１５】
本発明による捲縮されたスクリーンを使用した場合、機械方向において９３Ｎの強度、および横方向において２０Ｎの強度が、０．７２ｍｍの不織布厚さにおいて達せられる。
【００１６】
通例の微小な多孔性のシェル体を有するこの様式の製品ウェブが製造される場合、機械方向において９５Ｎの強度、および横方向において２０Ｎの強度が、並びに０．７３ｍｍの不織布厚さが観察される。
【００１７】
次に、図を参照して本発明の実施の形態を詳しく説明する。
【発明を実施するための最良の形態】
【００１８】
添付した図１は、概略的に、ドラムの構造を示している。最も下側の層は、穿孔ドラム１を形成している。この最も下側の層を覆って、目の粗い下側スクリーン２が位置しており、従って経糸４も認識され得る。この層構造は、上方で、上記捲縮されたスクリーン３によって閉鎖される。
【図面の簡単な説明】
【００１９】
【図１】概略的に、ドラムの構造を示した図である。
【符号の説明】
【００２０】
１    穿孔ドラム
２    粗い下側スクリーン
３    捲縮されたスクリーン
４    経糸
【図１】
0004860411.tif 000002